(57)【要約】【課題】積層された包装体の傷みを低コストで防ぐ梱包体の製造方法を提供する。【解決手段】包装体１０を複数積層させる工程と、積層させた包装体１０の側面外周を包むように補強シート材１３，１４を装着する工程と、補強シート材１３，１４の外側から固定バンド１２を掛けて積層させた包装体１０を固定する工程とを有し、補強シート材１３，１４を装着する工程は、最上階層の包装体１０上面および最下階層の包装体１０下面からそれぞれ補強シート材１３，１４の端部が突出するように該包装体１０側面に装着し、積層させた包装体１０を固定する工程は、最上階層の包装体１０上面ならびに最下階層の包装体１０下面から突出している補強シート材１３，１４の各端部を最上階層の上面側および最下階層の下面側にそれぞれ折り曲げて各包装体１０の縁辺部を覆い、該縁辺部に前記補強シート材１３，１４を介して固定バンド１２を掛けることを特徴とする。【選択図】図１
2017165479.tif 000002
【特許請求の範囲】
【請求項１】
上下面および側面を有する包装体を複数積層させる工程と、
前記積層させた包装体の側面外周を包むように補強シート材を装着する工程と、
前記補強シート材の外側から固定バンドを掛けて前記積層させた包装体を固定する工程と、
を有し、
前記補強シート材を装着する工程は、
最上階層の包装体上面および最下階層の包装体下面からそれぞれ前記補強シート材の端部が突出するように該包装体側面に装着し、
前記積層させた包装体を固定する工程は、
前記最上階層の包装体上面ならびに最下階層の包装体下面から突出している前記補強シート材の各端部を前記最上階層の上面側および最下階層の下面側にそれぞれ折り曲げて前記各包装体の縁辺部を覆い、該縁辺部に前記補強シート材を介して前記固定バンドを掛ける、
ことを特徴とする梱包体の製造方法。
【請求項２】
前記補強シート材は、前記最上階層の包装体を覆う上側補強シート材と、前記最下階層の包装体を覆う下側補強シート材である、
ことを特徴とする請求項１に記載の梱包体の製造方法。
【請求項３】
前記複数の包装体を積層させる工程は、
前記最下階層の上方に幅狭階層を形成する包装体を並べてフォークリフトのフォーク挿脱を妨げない溝形空間を形成させ、
前記積層させた包装体を固定する工程は、
前記溝形空間を塞ぐことがない位置に前記補強シート材を装着する、
ことを特徴とする請求項１または２に記載の梱包体の製造方法。
【発明の詳細な説明】
【技術分野】
【０００１】
本発明は、紙箱やビニールパッケージなどの包装体を、複数個まとめて移送可能な形態に梱包する梱包体の製造方法に関するものである。
【背景技術】
【０００２】
例えば、トイレットペーパーやティッシュペーパーなどの紙製品は、小売単位の１ロールまたは１箱等の形態とし、これらを搬送する際には所定個数のロールまたは箱体をまとめて梱包し、一度に多数個の製品を移送可能にしている。
一般的には、段ボールなどの包装体をパレットに多数個積層して梱包体を形成させ、このパレットにフォークリフトなどの搭載部位を接合させてパレットごと多数の包装体を移送している。このパレットは、複数の包装体をまとめた梱包体が所定場所に到着すると、当該梱包体から分離されて回収などの作業を経て繰り返し使用されている。
【０００３】
また、上記のパレットを使用することなく、フォークリフト等を用いて移送することができるように、多数の包装体を積層梱包した梱包体がある（例えば、特許文献１参照）。この梱包体は、一定大きさの直方体包装物を多段積層させ、この積層体外周に複数の固定バンドを巻付け固定している。また、フォークリフトのフォークを差入れることができるように、例えば包装体を積層させた最下階層から二階層上方の位置において、梱包体の側面に凹部もしくは空間を設けている。
【先行技術文献】
【特許文献】
【０００４】
【特許文献１】特許第２５９６８５５号公報
【発明の概要】
【発明が解決しようとする課題】
【０００５】
従来の梱包体は以上のように構成されているので、梱包体の縁辺部に配置された包装体に固定バンド等が直接接触している。そのため、各包装体を積み上げてこれらを固定バンド等を使用して締め固定を行うときや、フォークリフトなどを使用して梱包体を持ち上げ移動した場合には、梱包体の縁辺となる位置に配置された包装体に固定バンド等が食い込み、または、梱包体の応力荷重などが集中して上記の位置に配置される包装体に傷みが生じる。
【０００６】
本発明は、上記の課題に鑑みなされたもので、積層された包装体の傷みを低コストで防ぐ梱包体の製造方法を提供することを目的とする。
【課題を解決するための手段】
【０００７】
本発明に係る梱包体の製造方法は、上下面および側面を有する包装体を複数積層させる工程と、前記積層させた包装体の側面外周を包むように補強シート材を装着する工程と、
前記補強シート材の外側から固定バンドを掛けて前記積層させた包装体を固定する工程とを有し、前記補強シート材を装着する工程は、最上階層の包装体上面および最下階層の包装体下面からそれぞれ前記補強シート材の端部が突出するように該包装体側面に装着し、前記積層させた包装体を固定する工程は、前記最上階層の包装体上面ならびに最下階層の包装体下面から突出している前記補強シート材の各端部を前記最上階層の上面側および最下階層の下面側にそれぞれ折り曲げて前記各包装体の縁辺部を覆い、該縁辺部に前記補強シート材を介して前記固定バンドを掛けることを特徴とする。
【０００８】
また、前記補強シート材は、前記最上階層の包装体を覆う上側補強シート材と、前記最下階層の包装体を覆う下側補強シート材であることを特徴とする。
【０００９】
また、前記複数の包装体を積層させる工程は、前記最下階層の上方に幅狭階層を形成する包装体を並べてフォークリフトのフォーク挿脱を妨げない溝形空間を形成させ、前記積層させた包装体を固定する工程は、前記溝形空間を塞ぐことがない位置に前記補強シート材を装着することを特徴とする。
【発明の効果】
【００１０】
本発明によれば、梱包体の外周部、特に当該梱包体の上端ならびに下端の縁辺部に配置された包装体の損傷を防ぐことができ、各包装体の外観形状を保護して移送することが可能になる。
【図面の簡単な説明】
【００１１】
【図１】本発明の実施例による梱包体の製造方法を用いて製造された梱包体の斜視図である。
【図２】図１の梱包体を構成する複数の包装体を積層させた状態を示す説明図である。
【図３】図２の包装体を上側補強シートおよび下側補強シートで覆う工程を示す説明図である。
【図４】積層した包装体を上側補強シートおよび下側補強シートで覆った状態を示す説明図である。
【発明を実施するための形態】
【００１２】
以下、この発明の実施の一形態を説明する。
［実施例］
図１は、本発明の実施例による梱包体の製造方法を用いて製造された梱包体の斜視図である。
図示した梱包体１は、例えば２３個の包装体１０を積み上げ、これを複数本の固定バンド１２で固定している。また、最上階層に配置された４個の包装体１０には上側補強シート１３が装着され、最下階層に配置された４個の包装体１０には下側補強シート１４が装着されている。なお、本発明による梱包体の製造方法は、当該梱包する包装体の数量について上記の個数に限定されない。
【００１３】
図２は、図１の梱包体１を構成する複数の包装体１０を積層させた状態を示す説明図である。包装体１０は、例えば数百枚のティッシュペーパーを収納した紙製の箱、あるいは、トイレットペーパーロールを複数個収納した塩化ビニールなどの樹脂製パッケージ等であり、上面、下面、側面を有する形状をしている。
なお、ここで例示する包装体１０は、長辺と短辺によって形成された上面および下面を有する直方体、もしくは略直方体の形状をしている。
図２において最下階層の４個の包装体１０は、隣り合う箱の長辺同士、また、短辺同士を接するように、また、各包装体１０の長手方向を一様に揃えて並べたものである。
【００１４】
これら最下階層となる４個の包装体１０の上面には、例えば幅狭階層となる３個の包装体１０を積層させる。この３個の包装体は、下方（最下階層）の４個の包装体１０の長手方向と直交する向きに、換言すると当該３個の包装体１０の向きを９０度回転させ、各包装体１０の長手方向の縁辺部分が隣接するように並べられている。即ち、最下階層の直上階層は、最下階層よりも幅方向が狭い幅狭階層を形成するように３個の包装体１０を並べている。
幅狭階層となるように並べた３個の包装体１０の上面には、前述の最下階層と同様に４個の包装体１０を、長手方向を揃えて積層させ、さらに、４個の包装体１０を同様に並べた階層を例えば３階層積み上げている。
【００１５】
各図に示した梱包体１は、例えば、最下階層の長手方向に沿って、当該最下階層に並べられた包装体１０の長手縁辺の上方において、側方に向って開口した凹部が形成されるように幅狭階層を備えている。
この凹部には、例えばフォークリフトのフォークが挿入され、図１に示したように固定バンド１２によって締付固定された梱包体１をフォークリフトによって移送可能にしている。上記の凹部は、幅狭階層とその上下に積層されている各階層によって形成される空間１２であり、梱包体１の対向する両側面に設けられ、上記のフォークリフトのフォークが挿脱自在な大きさを有している。
【００１６】
図３は、図２の包装体１０を上側補強シート１３および下側補強シート１４で覆う工程を示す説明図である。
上側補強シート１３および下側補強シート１４は、いずれも同様なシート材であり、折り代等の加工を要することなく前述のように並べた包装体１０の外周面に沿って囲うことが可能な、例えば帯状に成形されたクラフト紙である。なお、上側補強シート１３および下側補強シート１４は、包装体１０の形状に沿ってこれを包むことが可能な柔軟性を有し、また、表面には適度な張力を備えており、外力などを受けた場合には破れることなく表面等に沿って分散させることが可能なシート材が適している。
【００１７】
上側補強シート１３は、例えば、前述の最上階層に並べた包装体１０の側面外周を包むように装着する。このとき、上側補強シート１３の短手方向上端部は、襟を立てるように包装体１０上面よりも上方へ突出させている。
具体的には、帯状の上側補強シート１３の下側部分を、例えば最上階層に並べた包装体１０外周を包むように巻き付け、環状となるように当該上側補強シート１３の長手方向の例えば両端部を、接着剤を用いて接着する。
このとき、同一階層（最上階層）に並べた包装体１０外周から上側補強シート１３が脱落しないように、当該並べた包装体１０の外周を適度に締めつけて上側補強シート１３が環状となるように接着する。
【００１８】
下側補強シート１４は、例えば、梱包体１の最下階層に並べた包装体１０側面外周を包むように装着する。
このとき、下側補強シート１４の短手方向下端部は、袴を履かせるように包装体１０下面よりも下方へ突出させている。
具体的には、帯状の下側補強シート１４の下側部分を、最下階層に並べた包装体１０外周を包むように巻き付け、環状となるように当該下側補強シート１４の長手方向両端部等を、例えば接着剤を用いて接着する。
【００１９】
このとき、最下階層に並べた包装体１０外周から下側補強シート１４が脱落しないように、当該並べた包装体１０の外周を適度に締めつけて下側補強シート１４が環状となるように接着する。
なお、補強シートを梱包体１（積層された各包装体１０）に装着するとき、特に下側補強シート１４を各包装体１０の側面外周に装着するときには、前述の空間１１を下側補強シート１４によって塞ぐことのないように、即ち、下側補強シート１４の上端部分が、空間１１の下側階層となる包装体１０上面よりも上側にはみ出すことの無い位置に装着する。
【００２０】
図４は、積層した包装体１０で上側補強シート１３および下側補強シート１４で覆った状態を示す説明図である。
前述の、上側補強シート１３の襟を立てるように突出させた部位は、最上階層に並べられた包装体１０の上面に接するように、もしくは上面を覆うように折り曲げる。
このように折り曲げ加工を行うことにより、最上階層に並べられた包装体１０外周の上側の縁辺部（梱包体１の上側縁辺部、また、梱包体１の最上部の角部分等）が当該上側補強シート１３によって覆われる。
また、下側補強シート１４の袴を履かせるように突出させた部位は、最下階層に並べられた包装体１０の下面に接するように、もしくは下面を覆うように折り曲げる。
このように折り曲げ加工を行うことにより、最下階層に並べられた包装体１０外周の下側の縁辺部（梱包体１の下側縁辺部、また、梱包体１の最下部の角部分等））が当該下側補強シート１４によって覆われる。
【００２１】
図４に示したように積層した包装体１０を上側補強シート１３および下側補強シート１４によって覆った後、図１に示したように複数本の固定バンド１２を掛けてこれらを締付固定する。
固定バンド１２は、梱包体１の長手方向に沿う外周と、短手方向に沿う外周に、各々環状となるように複数本掛けられる。即ち、梱包体１の上面および下面においては、各固定バンド１２が格子状に交差するように掛けられる。
このように梱包体１に掛けたとき、固定バンド１２は、上側補強シート１３および下側補強シート１４の各表面に備えられていることから、梱包体１の縁辺部となる各包装体１０の折角部に加わる締付力は、上側補強シート１３および下側補強シート１４を介することによって分散する。
【００２２】
そのため、特に梱包体１の縁辺部となる各包装体１０の折角部等の損傷を抑制することができ、包装体１０を形成する箱やパッケージ材の軽量化を図ることも可能になる。包装体１０を軽量な紙材やビニールなどの樹脂製パッケージ材によって形成した場合でも、移送などにおける損傷を防ぐことができ、梱包体１の軽量化を図ることが可能になる。
なお、締付力を分散させるためには、固定バンド１２は、上側補強シート１３および下側補強シート１４との接触面積を大きくするため幅広タイプのものが適している。
【符号の説明】
【００２３】
１梱包体
１０包装体
１１空間
１２固定バンド
１３上側補強シート
１４下側補強シート
【図１】
2017165479.tif 000003
【図２】
2017165479.tif 000004
【図３】
2017165479.tif 000005
【図４】
2017165479.tif 000006